(57)【要約】【課題】ＤＲＭのより確実なレンタル技術を提案する。【解決手段】本発明によるレンタル方法は、レンタルされた情報記憶媒体１を挿入したユーザ端末２が、複製命令を入力するためのユーザインタフェースを表示し、その複製命令が入力されると、インターネットを介して認証用サーバ３へアクセスする。アクセスを受けたサーバ３は、ユーザ端末２から会員番号と認証要求を受信して該会員番号が登録されているか否か確認し、会員番号が登録されている場合は、認証結果をユーザ端末２へ返信すると共に、会員番号に対比させてその認証結果データを記憶し、そして、該記憶した会員番号及び認証結果のデータをレンタルショップＲＳの情報端末で閲覧可能とする。認証を受けたユーザ端末２は、情報記憶媒体１のコンテンツ複製を実行することができる。【選択図】図１
2007184038.tif 000002
【特許請求の範囲】
【請求項１】
コンテンツと、
該コンテンツの複製を制御するコピーコントロールデータと、
当該情報記憶媒体がコンピュータの媒体読取装置に挿入された時に、記憶している前記コンテンツを再生する再生手段としてコンピュータを動作させる再生プログラムと、
前記コンテンツを別の情報記憶媒体に複製する命令を入力するためのユーザインタフェースを表示装置に表示する表示手段としてコンピュータを動作させる表示プログラムと、
前記ユーザインタフェースを通して前記複製命令が入力されると、インターネットを介してユーザ認証用のサーバへアクセスするアクセス手段としてコンピュータを動作させるアクセスプログラムと、
前記サーバからインターネットを介して認証結果が返ってくると、前記コピーコントロールデータによる複製制御を抑止して、前記コンテンツを前記別の情報記憶媒体に複製する複製手段としてコンピュータを動作させる複製プログラムと、
を記憶したことを特徴とするレンタル用の情報記憶媒体。
【請求項２】
前記再生手段の終了が命令された時に、前記媒体読取装置から当該情報記憶媒体を排出するようにコンピュータを動作させる排出プログラムをさらに記憶していることを特徴とする請求項１記載の情報記憶媒体。
【請求項３】
前記複製プログラムは、前記コンテンツの複製と共に、該複製コンテンツの再複製を制御するコピーコントロールデータを前記別の情報記憶媒体に記憶するようコンピュータを動作させるものであることを特徴とする請求項１又は請求項２記載の情報記憶媒体。
【請求項４】
レンタル会員の使用するユーザ端末及びレンタルショップの情報端末に対しインターネットを介して接続可能なサーバであって、
インターネットを介し接続してきた前記ユーザ端末から会員番号のデータを含んだ認証要求を受信すると、該会員番号がデータベースに登録されているか否か確認し、
前記会員番号が登録されている場合は、認証結果を前記ユーザ端末へ返信すると共に、前記会員番号に対比させてその認証結果のデータを記憶し、
該記憶した会員番号及び認証結果のデータを前記情報端末で閲覧できるようにすることを特徴とするサーバ。
【請求項５】
請求項１〜３のいずれか１項に記載の情報記憶媒体と請求項４記載のサーバとを使用したレンタル方法であって、
前記情報記憶媒体がレンタルショップにてレンタル会員に貸し出され、
該情報記憶媒体が該レンタル会員の使用するユーザ端末の媒体読取装置に挿入されると、該ユーザ端末のコンピュータが、前記情報記憶媒体に記憶されているコンテンツを再生する再生手段として動作すると共に該コンテンツを別の情報記憶媒体に複製する命令を入力するためのユーザインタフェースを表示装置に表示する表示手段として動作し、
前記ユーザインタフェースを通して前記複製命令が入力されると、該コンピュータが、インターネットを介して前記サーバへアクセスするアクセス手段として動作し、
該アクセスを受けた前記サーバが、前記ユーザ端末から会員番号のデータを含んだ認証要求を受信すると、該会員番号がデータベースに登録されているか否か確認し、前記会員番号が登録されている場合は、認証結果を前記ユーザ端末へ返信すると共に、前記会員番号に対比させてその認証結果のデータを記憶し、そして、該記憶した会員番号及び認証結果のデータを前記レンタルショップの情報端末で閲覧できるようにし、
前記サーバからインターネットを介して認証結果が返ってくると、前記コンピュータが、前記コピーコントロールデータによる複製制御を抑止して、前記コンテンツを前記別の情報記憶媒体に複製する複製手段として動作することを特徴とするレンタル方法。
【請求項６】
前記ユーザ端末のコンピュータが、前記再生手段の終了が命令された時に、前記媒体読取装置から前記情報記憶媒体を排出することを特徴とする請求項５記載のレンタル方法。
【請求項７】
前記複製手段として動作するコンピュータが、前記コンテンツの複製と共に、該複製コンテンツの再複製を制御するコピーコントロールデータを前記別の情報記憶媒体に記憶することを特徴とする請求項５又は請求項６記載のレンタル方法。
【発明の詳細な説明】
【技術分野】
【０００１】
本発明は、音楽や映画などの著作権に関係するコンテンツデータを記憶したＣＤ（コンパクトディスク）、ＤＶＤ（デジタルバーサタイルディスク）等、レンタルに使用される情報記憶媒体におけるデータ保護技術に関する。
【背景技術】
【０００２】
音楽や映像のコンテンツを記憶したＣＤやＤＶＤの情報記憶媒体では、リッピングで複製を重ねてもデータが劣化しないことから、著作権の保護を目的として、コピーコントロールデータを一緒に記憶することで、デジタル複製の制御が行われている（たとえば特許文献１）。最近のレンタルショップでは、新しくレンタル許可となって貸し出されるものについては、このコピーコントロールデータにより、デジタルの複製ができないように制御されている。
【特許文献１】特開２００３−１６７２６号公報
【発明の開示】
【発明が解決しようとする課題】
【０００３】
データの劣化無く複製できる現状で無制限に複製を認めることは、著作権保護の観点から許容できないが、たとえば音楽ＣＤ（ＣＤ−ＤＡ）をレンタルショップから借りてきても、まったくデジタルの複製ができないのでは、レンタルを利用することの魅力があまりにも少ない。
【０００４】
そこで、本発明は、著作権保護の観点を勘案した新たなレンタルの手法を確立可能な情報記憶媒体、サーバ、そしてこれらを使用したレンタル方法を提案するものである。
【課題を解決するための手段】
【０００５】
本発明によるレンタル用の情報記憶媒体は、コンテンツと、該コンテンツの複製を制御するコピーコントロールデータと、当該情報記憶媒体がコンピュータの媒体読取装置に挿入された時に、記憶しているコンテンツを再生する再生手段としてコンピュータを動作させる再生プログラムと、コンテンツを別の情報記憶媒体に複製する命令を入力するためのユーザインタフェースを表示装置に表示する表示手段としてコンピュータを動作させる表示プログラムと、そのユーザインタフェースを通して複製命令が入力されると、インターネットを介してユーザ認証用のサーバへアクセスするアクセス手段としてコンピュータを動作させるアクセスプログラムと、そのサーバからインターネットを介して認証結果が返ってくると、コピーコントロールデータによる複製制御を抑止して、コンテンツを別の情報記憶媒体に複製する複製手段としてコンピュータを動作させる複製プログラムと、を記憶したことを特徴とする。
【０００６】
また、本発明によるサーバは、レンタル会員の使用するユーザ端末及びレンタルショップの情報端末に対しインターネットを介して接続可能なサーバであって、インターネットを介し接続してきたユーザ端末から会員番号のデータを含んだ認証要求を受信すると、該会員番号がデータベースに登録されているか否か確認し、会員番号が登録されている場合は、認証結果をユーザ端末へ返信すると共に、当該会員番号に対比させてその認証結果のデータを記憶し、該記憶した会員番号及び認証結果のデータをレンタルショップの情報端末で閲覧できるようにすることを特徴とする。
【０００７】
また、本発明によるレンタル方法は、上記本発明の情報記憶媒体と上記本発明のサーバとを使用したレンタル方法であって、情報記憶媒体がレンタルショップにてレンタル会員に貸し出され、該情報記憶媒体がレンタル会員の使用するユーザ端末の媒体読取装置に挿入されると、該ユーザ端末のコンピュータが、情報記憶媒体に記憶されているコンテンツを再生する再生手段として動作すると共に該コンテンツを別の情報記憶媒体に複製する命令を入力するためのユーザインタフェースを表示装置に表示する表示手段として動作し、そのユーザインタフェースを通して複製命令が入力されると、該コンピュータが、インターネットを介してユーザ認証用のサーバへアクセスするアクセス手段として動作し、該アクセスを受けたサーバが、ユーザ端末から会員番号のデータを含んだ認証要求を受信すると、該会員番号がデータベースに登録されているか否か確認し、会員番号が登録されている場合は、認証結果をユーザ端末へ返信すると共に、この会員番号に対比させてその認証結果のデータを記憶し、そして、該記憶した会員番号及び認証結果のデータをレンタルショップの情報端末で閲覧できるようにし、当該サーバからインターネットを介して認証結果が返ってくると、ユーザ端末のコンピュータが、コピーコントロールデータによる複製制御を抑止して、コンテンツを別の情報記憶媒体に複製する複製手段として動作することを特徴とする。
【発明の効果】
【０００８】
本発明のレンタル用情報記憶媒体によれば、著作権保護の観点から、コピーコントロールデータによりデジタルの複製を制御し、たとえば一切の複製ができないものとすることができる。一方で、レンタル会員が複製を希望する場合は、記憶してあるプログラムに従い、インターネット接続により所定の認証用サーバへアクセスしてユーザ認証を経た上で、コンテンツを複製することが許可される仕組みを構築することができる。Ｗｅｂ認証で複製を許可する方式とすることにより、複製に対する著作権関連の課金を容易に行えるので、著作権に配慮したレンタルシステムの構築に貢献する。
【０００９】
また、本発明のサーバによれば、レンタル会員の会員番号とコンテンツ複製情報との対比データをレンタルショップの情報端末で閲覧できるので、該レンタルショップの情報端末でその対比データを参照して、情報記憶媒体を返却しにきたレンタル会員に対し、複製回数分の料金を徴収することができる。その料金は、著作権関連の金額を含めたものとすることができるので、著作権に配慮したレンタルシステムの構築に貢献する。
【００１０】
また、本発明のレンタル方法によれば、上記本発明の情報記憶媒体をレンタル品として用いることで複製を制御しながら、レンタル会員が複製を望めば、著作権関連の金額を含めた複製料金を課金した上で、コンテンツの複製を許可することができる。したがって、著作権に配慮したレンタル方法を実現することができ、デジタル複製が当たり前となった現状に見合ったレンタルのシステム構築に貢献する。
【発明を実施するための最良の形態】
【００１１】
図１に、本発明のレンタル方法に係るシステムの概略構成を示す。全体的には、レンタルショップＲＳに設置の情報端末、ＣＤ１を挿入するドライブを備えたユーザ端末としてのパーソナルコンピュータ（ＰＣ）２、そしてＷｅｂサイトを設営したユーザ認証用のサーバ３がインターネットでつながった構成を有する。なお、ＰＣ２はユーザ所有のものに限らず、キオスク端末等、ユーザが使用可能な端末であれば良い。
【００１２】
レンタルショップＲＳでは、情報記憶媒体として本例ではＣＤ１を貸し出ししている。このＣＤ１は、デジタル著作権管理（ＤＲＭ）された音楽ＣＤで、所定のアーチストの音楽をコンテンツとして記憶していると共に、複製を制御するコピーコントロールデータを記憶している。そのコピーコントロールデータは、上述の特許文献１、特表２００３−５００７８９号公報、特表２００３−５２３５９５号公報のようなデータであり、ミニコンポやポータブルプレーヤーなどの再生機器では支障なく聞けるけれども、ＰＣに搭載されたＣＤドライブでデジタル複製を行おうとしてもできない仕組みになっている。したがって、ミニコンポ等を利用してＣＤ１からＭＤ（ミニディスク）へ、ＣＤ１からテープへ再生録音することは許されるけれども、ＰＣを利用したリッピングによる複製は許されていない。また、本例のＣＤ１には、ＩＳＲＣ（International Standard Recording Code）やディスクＩＤ等、ＣＤの種類を特定できるＣＤ識別情報が記録されている。
【００１３】
このようなＣＤ１をレンタルショップＲＳから借りてきたレンタル会員は、ＰＣ２の媒体読取装置であるＣＤドライブにＣＤ１を挿入することで、該ＣＤ１に記憶されているコンテンツを再生するための再生手段としてＰＣ２を動作させることができる。このためＣＤ１は、図２に示すようにマルチセッション式とされ、内周側のオーディオセッション１ｏにコンテンツを記憶し、外周側のデータセッション１ｄに各種プログラムを記憶している。また、最内周のリードイン領域には、図示せぬＴＯＣ領域がディスク管理用に設けられている。
【００１４】
ＣＤ１がＰＣ２のＣＤドライブに挿入されると、自動再生機能が働き、ＰＣ２のＣＰＵによりデータセッション１ｄに記憶された再生プログラムが読み取られ、ＰＣ２が再生手段として動作する。再生手段として動作するＰＣ２は、その表示装置に、たとえば図２に示すようなユーザインタフェースＵＩを表示する。本例のユーザインタフェースＵＩにおいては、中央部分に音楽のカバーイメージＵＩ１（たとえばアーチストの画像）が表示され、そのカバーイメージＵＩ１中の左下隅に音楽のタイトルＵＩ２が表示されている。このタイトルＵＩ２にカーソルを合わせてクリックすると、該当する音楽が、オーディオセッション１ｏから読み出されて再生されるようになっている。
【００１５】
また、ユーザインタフェースＵＩの右上隅には、終了ボタンＵＩ３が表示されており、該終了ボタンＵＩ３にカーソルを合わせてクリックすると、再生手段の終了命令が入力されるようになっている。この再生手段の終了が命令された時にＰＣ２は、ＣＤ１のデータセッション１ｄに記憶されている排出プログラムに従って、再生手段の終了と共にＣＤドライブからＣＤ１を排出する。つまり、ＣＤ１は、ＣＤドライブに挿入されるとＰＣ２で自動的に再生手段が起動し、且つ再生手段の終了と共にＣＤドライブから排出されるようになっており、複製制御の一助とされている。
【００１６】
本例の場合、再生手段として動作しているＰＣ２が表示装置に画面表示しているユーザインタフェースＵＩには、コンテンツの複製を実行するためのＣＤ作成ボタンＵＩ４が含まれている。このＣＤ作成ボタンＵＩ４は、ＣＤ１に記憶されているコンテンツを別のＣＤ（セキュアＣＤ）に複製する命令を入力するためのユーザインタフェースで、ＣＤ１のデータセッション１ｄに記憶された表示プログラムに従ってＰＣ２により表示される。
【００１７】
このＣＤ作成ボタンＵＩ４にカーソルを合わせてクリックすると複製命令が入力され、ＣＤ１のデータセッション１ｄに記憶されたＵＲＬを含むアクセスプログラムに従いＰＣ２がアクセス手段として動作し、インターネットにつながった認証用のサーバ３へアクセスする。アクセス手段として動作するＰＣ２ではブラウザが立上がり、サーバ３に開設されたＷｅｂサイトが表示される。
【００１８】
これによりＰＣ２の表示装置には、図３に示すサイト画面Ｂがブラウザ内に表示される。この画面において、会員番号入力欄Ｂ１にカーソルを合わせてキーボード等から会員番号を入力し、そして、ＣＤ１に記憶されたコンテンツの複製を希望するＣＤ作成ボタンＢ２にカーソルを合わせてクリックすると、ＰＣ２からサーバ３へ、自機を特定するデータと共に、上記ＩＳＲＣなどのＣＤ識別情報を含んだＣＤ１の識別データ（たとえばＴＯＣに記録されている）、会員番号のデータ、そして認証要求が送信される。複製をキャンセルする場合には、画面下のキャンセルボタンＢ３をクリックすることができる。
【００１９】
これに応えてサーバ３は、会員番号がデータベースに登録してあるものであれば、複製を許可すべく認証結果をＰＣ２へ返信する。この認証処理時に、サーバ３は、会員番号に対比させてその認証結果のデータを記憶し、該記憶した会員番号及び認証結果のデータをレンタルショップＲＳに設置された店員用の情報端末で閲覧できるようにする。
【００２０】
以上のようなＣＤ１をレンタルし、ＰＣ２のＣＤドライブへ挿入した後の流れを、図４及び図５のフローチャートに示している。
【００２１】
ＰＣ２のＣＤドライブにＣＤ１が挿入されると（Ｓ１）、自動的にＰＣ２で再生プログラムが起動し再生手段が開始され（Ｓ２）、ＰＣ２の表示装置に、図２のユーザインタフェースＵＩが画面表示される（Ｓ３）。そして、ユーザインタフェースＵＩ中にあるＣＤ作成ボタンＵＩ４を通して複製命令が入力されるかどうかが判断される（Ｓ４）。ＣＤ作成ボタンＵＩ４のクリックがなく、複製命令が入力されないうちは、ＣＤ１に記憶されている音楽のタイトルＵＩ２のクリックがあるかどうか判断し（Ｓ５）、クリックがあれば該当する音楽を再生して（Ｓ６）、タイトルＵＩ２のクリックをさらに判断する。タイトルＵＩ２のクリックがなければ、終了ボタンＵＩ３のクリックを判断し（Ｓ７）、終了ボタンＵＩ３のクリック、つまり再生手段の終了命令が入力されないうちは、ＣＤ作成ボタンＵＩ４のクリック判断（Ｓ４）へ戻る。終了ボタンＵＩ３のクリックがあると、ＣＤドライブからＣＤ１を排出し（Ｓ８）、再生手段を終了する。
【００２２】
ステップＳ４でＣＤ作成ボタンＵＩ４のクリックがあった場合は、インターネットを介してサーバ３へアクセスし、ＰＣ２は、ブラウザ中に図３のサイト画面Ｂを表示する（Ｓ９）。そして、ＣＤ作成ボタンＢ２のクリックがあると、会員番号入力欄Ｂ１の入力データを含む上記のデータをサーバ３へ送信し、認証を要求する。サーバ３は、ＰＣ２からその認証要求を受信すると、サーバ３の持つデータベースに会員番号が登録されているかどうか確認し、登録されている場合にのみ、複製を許可する認証結果をＰＣ２へ返信する（Ｓ１０）。
【００２３】
サーバ３は、この認証処理により、ＣＤ１のコンテンツ複製が１回行われたことを会員番号と対比させて所定のテーブルに記憶し、これら複製回数及び会員番号のデータをレンタルショップＲＳの情報端末で閲覧できるようにする。複製回数は、ＰＣ２から認証要求がある都度にインクリメントされていく。記憶する複製回数は、単純に回数だけでも良いが、認証要求のあった日付、時間、ＣＤ１のＣＤ識別情報に基づくＣＤ番号を付加情報としてあっても良い。
【００２４】
サーバ３から認証結果が返ってくるとＰＣ２は、複製プログラムに従って、ＣＤ１に記憶されているコンテンツを別のＣＤ−Ｒ（たとえばＤＲＭ可能なセキュアＣＤ）に複製する複製手段として動作する（Ｓ１１）。複製手段として動作するＰＣ２は、書き込みを実行するＣＤ−ＲをＣＤドライブに挿入させるべく画面表示で通知し、該当するＣＤ−ＲがＣＤドライブへ挿入されれば、複製を開始する。
【００２５】
複製を開始するＰＣ２は、一時的に、ＣＤ１のコピーコントロールデータによる複製制御を抑止して、ＣＤ１から一旦自機のハードディスクへコンテンツをコピーし、これをＣＤドライブへ挿入された別のＣＤ−Ｒへ書き込む処理を実行する。このＣＤ−Ｒに書き込む複製には上述のようなコピーコントロールデータを付加し、複製コンテンツと共にコピーコントロールデータをＣＤ−Ｒに記憶させることで、再複製が制御されるようにする。この再複製制御はたとえば、さらに別のＣＤへの再複製は一切禁止とする一方、ＤＲＭ対応のポータブルプレーヤー等への転送は可能とするような制御とすることができる。
【００２６】
以上の処理フローにより、レンタル会員は、借りてきたＣＤ１に記憶されたコンテンツを、ユーザ認証を経た上で別のＣＤ−Ｒ／ＲＷ等に複製することができる。その複製料金は、ＣＤ１をレンタルショップＲＳに返却しに行った時に徴収される。すなわち、サーバ３に記憶されている対比データに従い、レンタルショップＲＳの情報端末には、図６に示す決済画面が表示されるので、これに従って、複製した回数分の複製料金を返却時に徴収することができる。
【００２７】
図示の例の決済画面は、レンタル会員の会員番号と共に、サーバ３で認証した複製回数詳細として、各レンタルＣＤ１に固有のＣＤ識別情報に従うＣＤ番号及び日付が表示され、そしてさらに、レンタルショップＲＳで付加する支払い済みか否かのチェック欄が表示されたものである。このような決済画面は、サーバ３から送られてきたデータを情報端末で記憶して表示する方法でも良いし、情報端末のブラウザ機能によりサーバ３のデータを読み出して表示する方法でも良い。
【００２８】
この実施形態におけるように、認証用のサーバ３において、ＣＤ１に固有の上記のようなＣＤ識別情報に基づく管理を組み入れておくと、ＣＤの種類により異なる複製料金を設定する、ＣＤの種類により異なる複製許可期間を設定するといった管理が可能となる。あるいは、ＣＤの種類によっては、当該ＣＤからＣＤ−Ｒへの直接的な複製は許可せず、認証後にサーバからのＤＲＭ制御したダウンロードを行ってＣＤ−Ｒへの書き込みを許可するといった管理も可能である。また、複製分追加料金の返却時徴収にあたり、実際に借りたＣＤとサーバの記録にあるＣＤ番号とを照会して確認することができるといった利点もある。
【００２９】
以上、本発明の一実施形態を説明したが、上記の例に限られるものではない。たとえば、情報記憶媒体としてＣＤ及びＣＤ−Ｒ／ＲＷを例にしているが、ＤＶＤでも応用可能である。ＣＤドライブもＤＶＤドライブ等が応用可能であるし、ユーザ端末のＰＣも、ＤＶＤ／ＨＤＤレコーダー等の応用が可能である。
【図面の簡単な説明】
【００３０】
【図１】本発明を適用したレンタルシステムの概略図。
【図２】情報記憶媒体とこれによるユーザインタフェースの例を示した説明図。
【図３】サーバにアクセスした時にユーザ端末に表示される画面の例を示した説明図。
【図４】情報記憶媒体に従うコンピュータの処理過程を例示したフローチャート。
【図５】コンテンツの複製処理を説明したフローチャート。
【図６】レンタルショップの情報端末に表示される決済画面の一例を示した説明図。
【符号の説明】
【００３１】
１  ＣＤ（情報記憶媒体）
２  ＰＣ（ユーザ端末）
３  サーバ（ユーザ認証）
ＲＳ  レンタルショップ
【図１】
2007184038.tif 000003
【図２】
2007184038.tif 000004
【図３】
2007184038.tif 000005
【図４】
2007184038.tif 000006
【図５】
2007184038.tif 000007
【図６】
2007184038.tif 000008